(57)【要約】複数の無線基地局が有する互いに同一の受信範囲に存在する端末から、接続ネットワークに入場するための入場手続き要求信号が複数の無線基地局の中の１つの無線基地局にて受信された場合、接続ネットワークにて複数の無線基地局の資源情報に基づいて、入場基地局が決定され、決定された入場基地局となる無線基地局へ入場手続き要求信号を送信するように要求する入場手続き基地局変更要求信号が端末へ送信される。
2009081772.tif 000002
【特許請求の範囲】
【請求項１】
互いに同一の受信範囲を持つ複数の無線基地局と、前記複数の無線基地局を制御する無線基地局制御装置とから構成される接続ネットワークであって、
前記受信範囲に存在する端末から当該接続ネットワークに入場するための入場手続き要求信号を前記複数の無線基地局の中の１つの無線基地局にて受信した場合、前記複数の無線基地局の資源情報に基づいて、前記複数の無線基地局の中から前記入場基地局を決定し、前記入場基地局に決定した無線基地局が前記端末から前記入場手続き要求信号を受信した無線基地局ではない場合、前記端末が入場手続きをするための入場基地局に決定した無線基地局へ前記入場手続き要求信号を送信するように要求する入場手続き基地局変更要求信号を前記端末へ送信する接続ネットワーク。
【請求項２】
請求項１に記載の接続ネットワークにおいて、
前記端末から該端末の利用機能を示す機能情報を受信した場合、前記機能情報と前記資源情報とに基づいて、前記入場基地局を決定することを特徴とする接続ネットワーク。
【請求項３】
請求項１に記載の接続ネットワークにおいて、
前記資源情報にて無線資源の空きが最も多い無線基地局を前記入場基地局に決定することを特徴とする接続ネットワーク。
【請求項４】
請求項１に記載の接続ネットワークにおいて、
ＲＮＧ−ＲＳＰ信号に前記入場手続き基地局変更要求の情報を設定することを可能とし、前記ＲＮＧ−ＲＳＰ信号を用いて前記入場手続き基地局変更要求を前記端末へ送信することを特徴とする接続ネットワーク。
【請求項５】
請求項２に記載の接続ネットワークにおいて、
ＳＢＣ−ＲＳＰ信号に前記入場手続き基地局変更要求の情報を設定することを可能とし、前記ＳＢＣ−ＲＳＰ信号を用いて前記入場手続き基地局変更要求を前記端末へ送信することを特徴とする接続ネットワーク。
【請求項６】
互いに同一の受信範囲を持つ複数の無線基地局と、前記複数の無線基地局を制御する無線基地局制御装置とから構成される接続ネットワークにおける無線通信制御方法であって、
前記受信範囲に存在する端末から当該接続ネットワークに入場するための入場手続き要求信号を前記複数の無線基地局の中の１つの無線基地局にて受信した場合、前記複数の無線基地局の資源情報に基づいて、前記複数の無線基地局の中から前記入場基地局を決定する処理と、
前記入場基地局に決定した無線基地局が前記端末から前記入場手続き要求信号を受信した無線基地局ではない場合、前記端末が入場手続きをするための入場基地局に決定した無線基地局へ前記入場手続き要求信号を送信するように要求する入場手続き基地局変更要求信号を前記端末へ送信する処理とを有する無線通信制御方法。
【請求項７】
請求項６に記載の無線通信制御方法において、
前記端末から該端末の利用機能を示す機能情報を受信した場合、該機能情報と前記資源情報とに基づいて、前記入場基地局を決定する処理を有することを特徴とする無線通信制御方法。
【請求項８】
請求項６に記載の無線通信制御方法において、
前記資源情報にて無線資源の空きが最も多い無線基地局を前記入場基地局に決定する処理を有することを特徴とする無線通信制御方法。
【発明の詳細な説明】
【技術分野】
【０００１】
本発明は、無線通信を行うための接続ネットワーク及び無線通信制御方法に関し、特にＷｉＭＡＸ技術を用いた接続ネットワーク及び無線通信制御方法に関する。
【背景技術】
【０００２】
近年、無線通信の標準規格として注目されているＷｉＭＡＸ（Worldwide  Interoperability  for  Microwave  Access）は、ＩＥＥＥ８０２．１６，ＩＥＥＥ８０２．１６ｅ，ＩＥＥＥ８０２．１６  Ｃｏｒｒｉｇｅｎｄｕｍ２およびＷｉＭＡＸ  Ｆｏｒｕｍにて標準化されている。この規格を用いた技術では、ＳＳ（Subscribe  Station）やＭＳ（Mobile  Station）といった端末がネットワーク入場を行う際、当該端末が自ら接続すべき基地局（ＢＳ：Base  Station）を選択し、その後ネットワーク入場手続きを開始する。【０００３】
端末が基地局に接続しようとするとき、当該基地局の無線資源（リソース）によっては、端末の接続が困難となってしまう場合がある。その際、ネットワーク入場手続きの間、接続サービスネットワーク（ＡＳＮ）は、該当端末を別の基地局へ移動させる術を持たない。【０００４】
また、無線基地局の回線不足を回避するために、端末が基地局に接続する時間帯に応じて、基地局を制御する無線端末接続装置が当該端末へ、接続すべき基地局を通知する技術が考えられている（例えば、特許公開１９９８−２３５０３号公報参照。）。【０００５】
上述した技術においては、接続サービスネットワーク（ＡＳＮ）が、該当端末を別の基地局へ移動させる術を持たないことにより、ネットワーク入場手続きが失敗してしまうおそれがある。また、当該基地局と同じ受信地域を持った無線資源に余裕がある基地局が存在する場合であっても、その無線資源に余裕がある基地局へ該当端末を誘導することができないという問題点がある。また、複数の基地局で同一の受信範囲を管理するような基地局設置の状況で、ネットワークに入場してくる端末を各基地局に振り分けるには、各端末のネットワーク入場手続きの終了後、基地局主導のハンドオーバー手続きを行い、該当端末を各基地局へ移動させなければならないという問題点がある。【０００６】
また、特許公開１９９８−２３５０３号公報に開示された技術においては、基地局と端末との接続を時間帯で管理しているため、当該端末が所定の基地局へ接続可能な時間帯を予め設定しておかなければならなく、その手間がかかってしまうという問題点がある。
【発明の開示】
【０００７】
本発明は、上述した課題を解決する接続ネットワーク及び無線通信制御方法を提供することを目的とする。
【０００８】
上記目的を達成するために本発明は、
互いに同一の受信範囲を持つ複数の無線基地局と、前記複数の無線基地局を制御する無線基地局制御装置とから構成される接続ネットワークであって、
前記受信範囲に存在する端末から当該接続ネットワークに入場するための入場手続き要求信号を前記複数の無線基地局の中の１つの無線基地局にて受信した場合、前記複数の無線基地局の資源情報に基づいて、前記複数の無線基地局の中から前記入場基地局を決定し、前記入場基地局に決定した無線基地局が前記端末から前記入場手続き要求信号を受信した無線基地局ではない場合、前記端末が入場手続きをするための入場基地局に決定した無線基地局へ前記入場手続き要求信号を送信するように要求する入場手続き基地局変更要求信号を前記端末へ送信する。
【０００９】
また、互いに同一の受信範囲を持つ複数の無線基地局と、前記複数の無線基地局を制御する無線基地局制御装置とから構成される接続ネットワークにおける無線通信制御方法であって、
前記受信範囲に存在する端末から当該接続ネットワークに入場するための入場手続き要求信号を前記複数の無線基地局の中の１つの無線基地局にて受信した場合、前記複数の無線基地局の資源情報に基づいて、前記複数の無線基地局の中から前記入場基地局を決定する処理と、
前記入場基地局に決定した無線基地局が前記端末から前記入場手続き要求信号を受信した無線基地局ではない場合、前記端末が入場手続きをするための入場基地局に決定した無線基地局へ前記入場手続き要求信号を送信するように要求する入場手続き基地局変更要求信号を前記端末へ送信する処理とを有する。
【００１０】
以上説明したように本発明においては、複数の無線基地局が有する互いに同一の受信範囲に存在する端末から、接続ネットワークに入場するための入場手続き要求信号が無線基地局にて受信された場合、複数の無線基地局の資源情報に基づいて、入場基地局が決定され、決定された入場基地局となる無線基地局へ入場手続き要求信号を送信するように要求する入場手続き基地局変更要求信号が端末へ送信される構成としたため、端末のネットワークへの入場手続きが失敗する確率を容易に削減することができる。
【図面の簡単な説明】
【００１１】
【図１】本発明の無線通信システムの実施の一形態を示す図である。
【図２】図１に示した基地局の内部構成の一例を示す図である。
【図３】図１に示したＡＳＮ−ＧＷの内部構成の一例を示す図である。
【図４】図３に示した基地局管理部に記憶された基地局情報の一例を示す図である。
【図５】本形態における無線通信制御方法を説明するための概念図である。
【図６】本形態における無線通信制御方法を説明するためのシーケンス図である。
【図７】本形態における無線通信制御方法の他の例を説明するためのシーケンス図である。
【発明を実施するための最良の形態】
【００１２】
以下に、本発明の実施の形態について図面を参照して説明する。【００１３】
図１は、本発明の無線通信システムの実施の一形態を示す図である。ここでは、ＷｉＭＡＸの規格を用いたネットワークである。【００１４】
本形態は図１に示すように、端末１０１と、基地局１０２−１，１０２−２と、ＡＳＷ−ＧＷ１０３とから構成されている。また、ＡＳＮ−ＧＷ１０３と基地局１０２−１，１０２−２とからＡＳＮ１０４が構成されている。【００１５】
端末１０１は、無線通信機能を有する移動可能な端末である。【００１６】
基地局１０２−１，１０２−２は、所定の受信範囲を有し、当該受信範囲に存在する端末との間にて接続可能な無線基地局である。【００１７】
ＡＳＷ−ＧＷ１０３は、基地局１０２−１，１０２−２と接続され、基地局１０２−１，１０２−２を制御する無線基地局制御装置である。ここでは、ＡＳＷ−ＧＷ１０３は、ＡＳＮ１０４における接続サービスネットワークゲートウェイである場合を例に挙げている。【００１８】
ＡＳＮ１０４は、ＷｉＭＡＸの接続サービスを提供するＷｉＭＡＸ接続サービスネットワークである。【００１９】
図２は、図１に示した基地局１０２−１の内部構成の一例を示す図である。【００２０】
図１に示した基地局１０２−１には図２に示すように、無線部２０１と、信号判断部２０２と、資源管理部２０３と、ＡＳＮ−ＧＷインタフェース部２０４とが設けられている。なお、図２には、基地局１０２−１が有する構成要素のうち、本発明に関わる構成要素のみを示した。また、図１に示した基地局１０２−２の内部構成も、図２に示した基地局１０２−１の内部構成と同じである。【００２１】
無線部２０１は、端末１０１との間にて無線信号を送受信する。一般的なアンテナや変復調機能を有する。【００２２】
信号判断部２０２は、端末１０１から送信されてきた信号が入場手続き要求を示す入場手続き要求信号であるかどうかを判断する。また、端末１０１から送信されてきた信号が端末１０１の機能情報を含むものであるかどうかを判断する。【００２３】
資源管理部２０３は、基地局１０２−１の無線資源（無線リソース）を管理する。例えば、基地局１０２−１にて使用可能な無線資源に対する現在使用している無線資源の割合（使用率）を管理するものであっても良い。資源管理部２０３にて管理されている無線資源の情報は、ＡＳＮ−ＧＷ１０３へ随時送信されている。【００２４】
ＡＳＮ−ＧＷインタフェース部２０４は、ＡＳＮ−ＧＷ１０３との間にて信号を送受信する。【００２５】
図３は、図１に示したＡＳＮ−ＧＷ１０３の内部構成の一例を示す図である。【００２６】
図１に示したＡＳＮ−ＧＷ１０３には図３に示すように、基地局インタフェース部３０１と、信号判断部３０２と、基地局管理部３０３と、上位装置インタフェース部３０４とが設けられている。なお、図３には、ＡＳＮ−ＧＷ１０３が有する構成要素のうち、本発明に関わる構成要素のみを示した。【００２７】
基地局インタフェース部３０１は、基地局１０２−１，１０２−２との間にて信号を送受信する。【００２８】
信号判断部３０２は、基地局１０２−１，１０２−２から送信されてきた信号が、端末１０１が入場手続き要求を示す入場手続き要求信号であるかどうかを判断する。また、基地局１０２−１，１０２−２から送信されてきた信号が、端末１０１の機能情報であるかどうかを判断する。【００２９】
基地局管理部３０３は、ＡＳＮ−ＧＷ１０３に接続された基地局１０２−１，１０２−２の基地局情報を記憶し、記憶された基地局情報に基づいて基地局１０２−１，１０２−２を管理する。【００３０】
上位装置インタフェース部３０４は、ＡＳＮ−ＧＷ１０３の上位に接続された装置との間にて信号を送受信する。【００３１】
図４は、図３に示した基地局管理部３０３に記憶された基地局情報の一例を示す図である。【００３２】
図３に示した基地局管理部３０３には図４に示すように、基地局それぞれに固有に付与された基地局番号と、基地局それぞれの受信範囲と、基地局それぞれの無線資源の情報である資源情報とが対応付けられて基地局情報として記憶されている。ここで、資源情報は、使用可能な無線資源に対する現在使用している無線資源の割合（使用率）である場合を例に挙げて示したが、基地局で使用可能な無線資源の量がわかるものであれば良い。この資源情報は、それぞれの基地局から随時送信されてきて更新されるものである。例えば、基地局１０２−１の受信範囲は「Ｘ」であり、資源情報が９０％である基地局情報が記憶されている。また、基地局１０２−２の受信範囲は「Ｘ」であり、資源情報が１０％である基地局情報が記憶されている。また、基地局１０２−３の受信範囲は「Ｙ」であり、資源情報が５０％である基地局情報が記憶されている。また、基地局１０２−４の受信範囲は「Ｙ」であり、資源情報が９９％である基地局情報が記憶されている。【００３３】
以下に、本形態における無線通信制御方法について説明する。【００３４】
図５は、本形態における無線通信制御方法を説明するための概念図である。また、図６は、本形態における無線通信制御方法を説明するためのシーケンス図である。ここで、図５に示すように、基地局１０２−１の受信範囲１０５−１と、基地局１０２−２の受信範囲１０５−２とが同じであり、端末１０１がその受信範囲に存在し、さらにＡＳＮ１０４の入場先として最初に基地局１０２−１を検出した場合を例に挙げて説明する。【００３５】
端末１０１にてＡＳＮ１０４の入場先として基地局１０２−１がステップ１にて検出されると、図５の矢印Ａのように端末１０１から基地局１０２−１へ入場手続き要求を示す入場手続き要求信号がステップ２にてレンジング要求を行うためのＲＮＧ−ＲＥＱ信号を用いて送信される。【００３６】
基地局１０２−１の無線部２０１にて、端末１０１から送信されてきたＲＮＧ−ＲＥＱ信号が受信されると、受信した信号が入場手続き要求信号であるかどうかが信号判断部２０２にて判断される。【００３７】
受信した信号が入場手続き要求信号であると判断された場合、端末１０１から入場手続きの要求があった旨がステップ３にてＡＳＮ−ＧＷインタフェース部２０４からＡＳＮ−ＧＷ１０３へ通知される。この通知に用いられる、つまり基地局１０２−１から送信される通知用の信号は、端末１０１から入場手続きの要求があった旨が認識できるものであれば良く、信号の形式についてはここでは規定しない。【００３８】
基地局１０２−１のＡＳＮ−ＧＷインタフェース部２０４から送信された端末１０１から入場手続きの要求があった旨を示す信号がＡＳＮ−ＧＷ１０３の基地局インタフェース部３０１にて受信されると、受信された信号が入場手続きの要求があった旨を示す信号であるかどうかが信号判断部３０２にて判断される。【００３９】
信号判断部３０２にて入場手続きの要求があった旨を示す信号であると判断された場合、ステップ４にて基地局管理部３０３において基地局１０２−１の資源情報が検索される。【００４０】
また、基地局管理部３０３にて基地局１０２−１と同じ受信範囲を有する基地局がステップ５にて検索される。ここでは、基地局１０２−２が検索される。【００４１】
基地局管理部３０３にて、基地局１０２−１の資源情報と、基地局１０２−１と同じ受信範囲を有する基地局１０２−２とが検索されると、それらに基づいて、端末１０１の入場先の基地局である入場基地局がステップ６にて決定される。この決定方法については、例えば、基地局１０２−１の資源情報が、基地局１０２−２の資源情報よりも大きな場合、基地局１０２−２が端末１０１の入場先の基地局に決定されるものであっても良い。つまり、基地局１０２−１と基地局１０２−２とで、無線資源の現在の空きが多い方が入場先の基地局に決定されるものであっても良い。また、予め設定された閾値よりも基地局１０２−１の資源情報が大きな値であり、且つ当該閾値よりも基地局１０２−２の資源情報が小さな値である場合に、基地局１０２−２が端末１０１の入場先の基地局に決定されるものであっても良い。つまり、基地局１０２−１と基地局１０２−２とのどちらに端末１０１を入場させた方が無線資源の利用効率が良いかにしたがって決定されるものであれば良い。受信範囲が同一である基地局が３つ以上である場合でも、同様に、例えば、無線資源の現在の空きが最も多いものが入場先に決定されるものであっても良い。ここでは、基地局１０２−２に端末１０１を入場させたほうが無線資源の利用効率が良いと判断される。そして、端末１０１へ基地局１０２−２への入場手続きを実施する、つまり基地局１０２−２へ入場手続き要求信号を送信するように要求する信号が、ステップ７にてＡＳＮ−ＧＷ１０３の基地局インタフェース部３０１から基地局１０２−１へ送信される。この信号形式についても、ここでは規定しない。【００４２】
ＡＳＮ−ＧＷ１０３の基地局インタフェース部３０１から送信された信号が基地局１０２−１のＡＳＮ−ＧＷインタフェース部２０４にて受信されると、図５の矢印Ｂのように基地局１０２−１の無線部２０１から端末１０１へ入場手続き実施を行う基地局の変更を要求する旨を示す入場手続き基地局変更要求信号がステップ８にてＲＮＧ−ＲＳＰ信号を用いて送信される。【００４３】
基地局１０２−１から送信された入場手続き基地局変更要求信号が端末１０１にて受信されると、ステップ９にて端末１０１において入場先が基地局１０２−２へ切り替えられる。【００４４】
そして、図５の矢印Ｃのように端末１０１から基地局１０２−２へ入場手続き要求を示す入場手続き要求信号がステップ１０にてＲＮＧ−ＲＥＱ信号を用いて送信される。【００４５】
また、上述したようなＲＮＧ−ＲＥＱ信号を用いるのではなく、ＳＢＣ−ＲＥＱを用いるものであっても良い。【００４６】
図７は、本形態における無線通信制御方法の他の例を説明するためのシーケンス図である。ここでも図６のシーケンス図を用いて説明した方法と同様に、図５に示すように、基地局１０２−１の受信範囲１０５−１と、基地局１０２−２の受信範囲１０５−２とが同じであり、端末１０１がその受信範囲に存在し、さらにＡＳＮ１０４の入場先として最初に基地局１０２−１を検出した場合を例に挙げて説明する。【００４７】
端末１０１にてＡＳＮ１０４の入場先として基地局１０２−１がステップ１１にて検出されると、図５の矢印Ａのように端末１０１から基地局１０２−１へ入場手続き要求を示す入場手続き要求信号がステップ１２にてレンジング要求を行うためのＲＮＧ−ＲＥＱ信号を用いて送信される。【００４８】
基地局１０２−１の無線部２０１にて、端末１０１から送信されてきたＲＮＧ−ＲＥＱ信号を受信すると、受信したＲＮＧ−ＲＥＱ信号に対応するＲＮＧ−ＲＳＰ信号がステップ１３にて無線部２０１から端末１０１へ送信される。【００４９】
基地局１０２−１の無線部２０１から送信されたＲＮＧ−ＲＳＰ信号が端末１０１にて受信されると、端末１０１から端末１０１の利用可能な機能を示す機能情報がステップ１４にてＳＢＣ−ＲＥＱ信号を用いて基地局１０２−１へ送信される。【００５０】
基地局１０２−１の無線部２０１にて、端末１０１から送信されてきたＳＢＣ−ＲＥＱ信号が受信されると、受信した信号がＳＢＣ−ＲＥＱ信号であるかどうかが信号判断部２０２にて判断される。【００５１】
受信した信号がＳＢＣ−ＲＥＱ信号であると判断された場合、信号判断部２０２にて端末１０１の機能情報が抽出され、抽出された機能情報がステップ１５にてＡＳＮ−ＧＷインタフェース部２０４からＡＳＮ−ＧＷ１０３へ送信される。この基地局１０２−１から送信される機能情報は、端末１０１の利用機能を認識できるものであれば良く、信号の形式についてはここでは規定しない。【００５２】
基地局１０２−１のＡＳＮ−ＧＷインタフェース部２０４から送信された機能情報がＡＳＮ−ＧＷ１０３の基地局インタフェース部３０１にて受信されると、受信された信号が機能情報であるかどうかが信号判断部３０２にて判断される。【００５３】
信号判断部３０２にて機能情報であると判断された場合、ステップ１６にて基地局管理部３０３において基地局１０２−１の資源情報が検索される。【００５４】
また、基地局管理部３０３にて基地局１０２−１と同じ受信範囲を有する基地局がステップ１７にて検索される。ここでは、基地局１０２−２が検索される。【００５５】
基地局管理部３０３にて、基地局１０２−１の資源情報と、基地局１０２−１と同じ受信範囲を有する基地局１０２−２とが検索されると、それらと端末１０１の機能情報とに基づいて、端末１０１の入場先の基地局である入場基地局がステップ１８にて決定される。この決定方法については、例えば、端末１０１の利用機能が、無線資源を多く使用するものである場合、基地局１０２−１と基地局１０２−２とで、無線資源の現在の空きが多い方が入場先の基地局に決定されるものであっても良い。また、端末１０１の利用機能が、無線資源を予め設定された閾値よりも少なく使用するものである場合、当該使用する無線資源の量が空きである基地局であれば、基地局１０２−１と基地局１０２−２とを任意で選択するものであっての良い。また、例えば、基地局１０２−１は無線資源を予め設定された閾値よりも少なく使用する利用機能を有する端末１０１の入場先とし、一方、基地局１０２−２は無線資源を予め設定された閾値よりも多く使用する利用機能を有する端末１０１の入場先とするものであっても良い。このように、基地局１０２−１と基地局１０２−２とのどちらに端末１０１を入場させた方が無線資源の利用効率が良いかにしたがって決定されるものであれば良い。受信範囲が同一である基地局が３つ以上である場合でも、同様に、例えば、無線資源の現在の空きが最も多いものが入場先に決定されるものであっても良い。ここでは、基地局１０２−２に端末１０１を入場させたほうが無線資源の利用効率が良いと判断され、端末１０１へ基地局１０２−２への入場手続きを実施する、つまり基地局１０２−２へ入場手続き要求信号を送信するように要求する信号が、ステップ１９にてＡＳＮ−ＧＷ１０３の基地局インタフェース部３０１から基地局１０２−１へ送信される。この信号形式についても、ここでは規定しない。【００５６】
ＡＳＮ−ＧＷ１０３の基地局インタフェース部３０１から送信された信号が基地局１０２−１のＡＳＮ−ＧＷインタフェース部２０４にて受信されると、図５の矢印Ｂのように基地局１０２−１の無線部２０１から端末１０１へ入場手続き実施を行う基地局の変更を要求する旨を示す入場手続き基地局変更要求信号がステップ２０にてＳＢＣ−ＲＳＰ信号を用いて送信される。【００５７】
基地局１０２−１から送信された入場手続き基地局変更要求信号が端末１０１にて受信されると、ステップ２１にて端末１０１において入場先が基地局１０２−２へ切り替えられる。【００５８】
そして、図５の矢印Ｃのように端末１０１から基地局１０２−２へ入場手続き要求を示す入場手続き要求信号がステップ２２にてＲＮＧ−ＲＥＱ信号を用いて送信される。【００５９】
このように、ＲＮＧ−ＲＳＰ信号ではなくＳＢＣ−ＲＳＰ信号を用いて別の基地局での入場手続きを要求することにより、端末１０１の能力（利用機能）に応じて適切な基地局の選択が可能となる。そのため、ＲＮＧ−ＲＳＰ信号を使用する場合よりも、より詳細な判断が可能となるメリットがある。【００６０】
また、上述したステップ３，７，１５及びステップ１９の処理を省略し、ステップ４〜６及びステップ１６〜１８の処理を基地局１０２−１にて行うものであっても良い。つまり、入場基地局の決定するための処理を基地局１０２−１にて行うものであっても良い。この場合、基地局１０２−１，１０２−２に図４に示した基地局情報を互いに収集し、当該基地局情報に基づいて入場基地局を決定するものであっても良い。基地局１０２−１，１０２−２においては、互いに隣接する基地局の基地局情報を収集するインタフェース部を有し、当該インタフェース部を用いて、互いの基地局情報を収集するものであっても良い。なお、これらは、１つの基地局内のセクタ間においても同様に行われるものであっても良い。【００６１】
以上説明したように、本発明においては、以下に記載するような効果を奏する。【００６２】
第１の効果として、端末に対し適切な別の基地局への移動を促せるため、端末の入場手続き失敗の確率が削減できる。【００６３】
また、第２の効果として、複数の基地局により同一の受信範囲を管理する場合において、ネットワーク入場手続きの段階で端末をそれぞれの基地局に振り分ける機能を実現できる。このことにより、基地局間の負荷分散や特定の基地局に端末を集中的に入場させる無線資源管理を実現できる。【００６４】
また、第３の効果として、一般的な技術では端末を別の基地局に移動させるには端末のネットワーク入場手続きを完了させた後、ＩＥＥＥ８０２．１６，ＩＥＥＥ８０２．１６ｅ，ＩＥＥＥ８０２．１６  Ｃｏｒｒｉｇｅｎｄｕｍ  ２およびＷｉＭＡＸ  Ｆｏｒｕｍで記載されている基地局主導のハンドオーバー手続きにて端末を移動させる必要がある。本発明によりネットワーク入場手続き段階で端末を別の基地局へ移動させることが可能となり接続サービスネットワークにおいて端末移動処理の負荷が低減される。【００６５】
なお、上述したＲＮＧ−ＲＥＱ／ＲＳＰ及びＳＢＣ−ＲＥＱ／ＲＳＰの信号は、ＩＥＥＥ８０２．１６／ＩＥＥＥ８０２．１６ｅ／ＩＥＥＥ８０２．１６  Ｃｏｒｒｉｇｅｎｄｕｍ  ２にて定義されている信号である。【００６６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。【００６７】
この出願は、２００７年１２月２５日に出願された日本出願特願２００７−３３１９３１を基礎とする優先権を主張し、その開示の全てをここに取り込む。
【図１】
2009081772.tif 000003
【図２】
2009081772.tif 000004
【図３】
2009081772.tif 000005
【図４】
2009081772.tif 000006
【図５】
2009081772.tif 000007
【図６】
2009081772.tif 000008
【図７】
2009081772.tif 000009
【国際調査報告】
2009081772.tif 000010
2009081772.tif 000011